(57)【特許請求の範囲】
【請求項１】
印刷機構部と、
筐体と、
該筐体の外部に記録紙を案内する記録紙ガイドと、
記録紙切断刃を備えた記録紙カッタと、を有する印刷装置において、
前記記録紙切断刃は、記録紙搬送方向の上流側に配置され、直線状刃先部分と、この直線状刃先部分の少なくとも記録紙幅方向の一端に形成された鋸歯状刃先部分と、を備え、
前記記録紙ガイドは、先端に下部ガイド部材と上部ガイド部材とからなる排出口を有し、
当該排出口は、前記鋸刃状刃先部分に対応した位置であり、且つ、前記下部ガイド部材及び前記上部ガイド部材の双方に互いに対になる位置に切り欠き状部を有していることを特徴とする印刷装置。
【請求項２】
請求項１において、
前記鋸歯状刃先部分は、前記直線状刃先部分の記録紙幅方向の両端に形成されており、
前記切り欠き状部は、前記記録紙ガイドの先端開口縁における各鋸歯状刃先部分に対応する位置に形成されていることを特徴とする印刷装置。
【発明の詳細な説明】
【０００１】
【発明の属する技術分野】
本発明は、ガソリンスタンドの給油用ＰＯＳ端末に搭載されるレシート発行機等に組み込まれ、発行されるレシートを所定の長さに切断するために用いる記録紙カッタおよびそれを備えた記録装置に関するものである。
【０００２】
【従来の技術】
このような記録紙カッタは、例えば、米国特許第５，４０７，１１５号公報に開示されたものが知られている。この公報に開示されているレシートカッタは、印字後のロール紙を排出口までガイドするくちばし状の記録紙ガイドを備え、この記録紙ガイドのロール紙搬送方向の手前位置に、ロール紙幅方向の中央に頂点が位置する山形の切断刃を備えている。
【０００３】
印字後のロール紙はそのカール方向が切断刃に面する状態で当該切断刃を介して記録紙ガイドに搬送され、その記録紙ガイドの先端によって規定されている排出口から排出される。ロール紙が或る程度の長さだけ排出口から排出した状態でロール紙の搬送が停止する。この状態で、レシートを受取る人が、排出口から出ているロール紙の先端部分を摘み、手前に強く引くと、ロール紙は、山形の切断刃の中央を起点としてロール紙幅方向に直角に切断される。この構成のレシートカッタは、簡単な構成で、しかも、排出されたロール紙の端を引っ張るという簡単な操作により、きれいに切断される。
【０００４】
【発明が解決しようとする課題】
本発明の課題は、記録紙ガイドの先端に形成した排出口から排出されたロール紙を手前に引くことによりロール紙を切断可能な記録紙カッタにおいて、より小さな操作力により記録紙を切断可能な記録紙カッタを提案することにある。
【０００５】
上記の課題を解決するために、本発明の印刷装置は、印刷機構部と、筐体と、該筐体の外部に記録紙を案内する記録紙ガイドと、記録紙切断刃を備えた記録紙カッタとを有する印刷装置において、前記記録紙切断刃は、記録紙搬送方向の上流側に配置され、直線状刃先部分と、この直線状刃先部分の少なくとも記録紙幅方向の一端に形成された鋸歯状刃先部分とを備え、前記記録紙ガイドは、先端に下部ガイド部材と上部ガイド部材とからなる排出口を有し、当該排出口は、前記鋸刃状刃先部分に対応した位置であり、且つ、前記下部ガイド部材及び前記上部ガイド部材の双方に互いに対になる位置に切り欠き状部を有していることを特徴としている。
【０００６】
ここで、前記鋸歯状刃先部分を、前記直線状刃先部分の両端に形成した場合には、前記切り欠き状部分を、前記記録紙ガイドの先端開口縁における各鋸歯状刃先部分に対応する位置に形成すればよい。
【０００７】
この構成の印刷装置において、ロール紙等の長尺状記録紙が記録紙ガイドによって案内されてその排出口に到った時点で記録紙の搬送を停止すると、記録紙の先端部分のうち、切り欠き状部分が形成されている部分のみを指等で摘むことができる。記録紙のこの部分を摘んで手前に引くと、記録紙における切断刃に対峙している部分が、記録紙幅方向の同一側に形成されている鋸歯状刃先部分に押し付けられて、ここを起点として記録紙がその幅方向に切断される。鋸歯状刃先部分によって記録紙の端が極めて簡単に切断されるので、小さな操作力で記録紙を簡単に切断することが可能であり、排出口は、上部ガイド部材および下部ガイド部材の双方に互いに対向する位置に前記切り欠き部を有することを特徴とする。これにより更に確実に記録紙を持って引きちぎる様に操作が可能である。
【０００８】
記録紙ガイドの先端の排出口の両側に切り欠き状部分が形成されている場合には、ここから露出している記録紙のいずれの端を手前に引いても切断歯の鋸歯状刃先部分によって記録紙の端が最初に切断され、ここを起点として記録紙が完全に切断される。
【００１２】
【発明の実施の形態】
以下に、図面を参照して、本発明を適用した記録紙カッタの実施例を説明する。
【００１３】
図１は、本例の記録紙カッタが搭載された印刷装置の一種のロール紙プリンタの主要部分を示す概略断面構成図であり、図２はその記録紙ガイドおよび切断刃を説明するための斜視図である。
【００１４】
これらの図を参照して説明すると、本例のロール紙プリンタ１は、筐体である本体ケース２と、この中に形成されているロール紙装填部３と、このロール紙装填部３に装填されている記録紙ロール体４から繰り出されるロール紙５に印字を行うサーマルヘッド６と、このサーマルヘッド６による印字位置を規定しているプラテンローラ７を有している。サーマルヘッド６の駆動制御、不図示のロール紙搬送機構の駆動制御は、ロール紙装填部３の下側に装着されている制御ユニット８によって行われる。サーマルヘッド６、プラテン７、ロール紙装填部３、図示しないモータ等によって印刷機構部を構成している。
【００１５】
このロール紙プリンタ１には印字後のロール紙５を所定の長さに切断するための記録紙カッタ１０が組み込まれている。本例の記録紙カッタ１０は切断刃１１と記録紙ガイド１４を備えている。切断刃１１は、サーマルヘッド６の印字位置よりもロール紙搬送方向下流側に配置されている。この切断刃１１の刃先部分はロール紙幅方向に配置されている。また、この切断刃１１の刃先部分は、記録紙幅方向の延びる同一高さ位置にある直線状刃先部分１２と、この直線状刃先部分１０の一端、すなわち、ロール紙幅方向の一端に形成された鋸歯状刃先部分１３とを備えている。この鋸状刃先部分１３は、数個の鋸歯からなっている。
【００１６】
記録紙ガイド１４は、切断刃１１のロール紙搬送方向の下流側に配置されており、全体として先細りにくちばし形状をしている。この記録紙ガイド１４の記録紙搬入口１５が切断刃１１の下流側に開口している。本例の記録紙ガイド１４は、両側が下方に直角に折れ曲がっている上ガイド１６と、下ガイド１７から構成されている。これら上ガイド１６および下ガイド１７の先端縁１６ａ、１７ａによって、細長い矩形の用紙排出口１８が形成されている。
【００１７】
ここで、上ガイド１６の先端縁１６ａにおけるロール紙幅方向の一端は、所定の幅および長さで切り取られ、ロール紙搬送方向の上流側に切り欠かれた切り欠き状部１６ｂとされている。この切り欠き状部１６ｂによって、用紙排出口１８まで先端が搬送されてきたロール紙５の端部分を指により摘み、手前に引くことが簡単にできる。この切り欠き状部１６ｂは、ロール紙幅方向において、上記の鋸歯状刃先部分１３に対応する位置に形成されている。
【００１８】
このように構成した本例の記録紙カッタ１０における印字後に排出されるロール紙５を切断して取出す動作を説明する。ロール紙５が印字されて、切断刃１１を超えて記録紙ガイド１４に案内されて、その先端のロール紙排出口１８まで搬送されると、ロール紙５の搬送が停止する。この状態では、ロール紙５の先端部分のうち、記録紙ガイド１４の先端縁における切り欠き状部１６ｂが形成されている部分が、図２に示すように、外部に露出しており、従って、この部分を指で簡単に掴むことができる。
【００１９】
この部分を指で掴み、ロール紙を手間に引くと、当該ロール紙５の先端部分は切断刃１０の刃先部分１０、１１よりも下方位置にあるので、ロール紙５は刃先部分１２、１３を支点にして下方に引かれる。ロール紙５を引っ張っている位置は、切断刃１１の鋸歯状刃先部分１３に対応しているので、ロール紙５は当該刃先部分１３に対して他の部分よりも強く押し付けられる。よって、ロール紙５の端がまずこの鋸歯状刃先部分１１により切断され、この端部切断位置を起点として幅方向に沿って直線状刃先部分１０により切断され、完全に分離されて所定長さのロール紙片（レシート片）が得られる。
【００２０】
このように、本例の記録紙カッタ１０では、ロール紙５の端がまず鋸歯状刃先部分１３により切断され、ここを起点として幅方向に切断される。よって、小さな操作力で極めて簡単にロール紙を切断することができる。
【００２１】
なお、切り欠き状部１６ｂは、下ガイド１７の側に形成してもよいし、双方に形成してもよい。また、本例はサーマルヘッドを備えているが、他の形式の印字ヘッド、例えばインクジェットヘッド等を備えたものであっても、本発明を適用できることは勿論である。
【００２２】
次に、図３には、上記の切断刃１１および記録紙ガイド１４の変形例を示してある。この図に示す例では、切断刃１１Ａの直線状刃先部分１２Ａの両端に鋸歯状刃先部分１３Ａ、１３Ｂが形成されている。これらの鋸歯状刃先部分１３Ａ、１３Ｂに対応して、記録紙ガイド１４Ａの用紙排出口の先端縁１６Ａには、ロール紙幅方向の両端部分にロール紙搬送方向の上流側に切り欠かれた切り欠き状部１６Ｂ、１６Ｃが形成されている。
【００２３】
この場合には、ロール紙先端のいずれの端を摘み手前に引いても簡単にロール紙を専断できる。すなわち、右手、左手どちらの手を使う場合にも、同じ切れ味でロール紙を切り取ることが可能となる。
【００２４】
図４は、記録紙ガイド１４の他の変形例を示す略図である。用紙排出口の上ガイド１６、下ガイド１７の双方に対となるように、切り欠き状部１６ｄ、１７ｄが形成されている。又、図示しないが、切断刃の少なくとも上記切り欠き状部と対応する側には、鋸歯状刃先部分が設けられている。
【００２５】
この構造により、ロール紙の排出量が少なかった場合であっても、容易に用紙の端を指で掴むことが可能となり、より一層用紙を取りやすい構成となる。
【００２６】
次に、図５には、本発明による記録紙カッタが搭載されたロール紙プリンタの別の例を示してある。記録紙カッタの部分は図１に示す例と同一であるので、この部分の説明は省略し、図においては図１と対応する部分には同一の符号を付してある。
【００２７】
本例のロール紙プリンタ２０は、水平に搬送されるロール紙５に対して、その下側に上向きにサーマルヘッド６を配置し、上側にプラテンローラ７を配置してある。この結果、ロール紙５はその記録面が下向きで搬送されるので、このままでは上側にカールが付いた状態で記録紙カッタ１０に向けて搬送されてしまい、その先端が上方にカールしやすいのでジャミング等のおそれがある。そこで、ロール紙５に対して逆向きにカールを付けるための円弧状ガイド面２１が、ロール紙装填部３に形成されている。
【００２８】
ここで、本例のロール紙カッタ２０では、ロール紙５に対して上側にプラテンローラ７を配置してあり、このプラテンローラ７を、上下に旋回可能な旋回腕２２の先端に取り付けてある。この旋回腕２２を図における実線で示す動作位置から、想像線で示す待避位置まで旋回させると、ロール紙の印字位置（プラテンローラの位置）から記録紙ガイド１４までの搬送路を開放状態にすることができる。このために、記録紙ロール体４の交換時に、当該搬送路を開放することにより、ロール紙５の引き回し作業を簡単に行うことができるという利点がある。
【００２９】
以上説明したように、本発明の印刷装置は、切断刃として、記録紙幅方向に延びる直線状刃先部分の端に鋸歯状刃先部分を形成し、当該鋸状刃先部分よりも下方に位置している記録紙ガイドの排出側の先端縁には、ここから排出される記録紙先端を掴めるように、記録紙搬送方向手前側に後退した切り欠き状部を形成し、当該切り欠き状部を記録紙幅方向における鋸歯状刃先部分に対応した位置としてある。
【００３０】
この構成によれば、操作者には、記録紙の端を持つように促すサインとしての機能を有し、且つ記録紙ガイドの先端縁に形成した切り欠き状部から露出している記録紙の先端部分を摘み手前に引き出せば、鋸歯状刃先部分に位置している記録紙の端部分を当該刃先部分に押し付ける力が作用し、この端部分が簡単に切断され、ここを起点として記録紙が幅方向に切断される。よって、小さな力で簡単に記録紙を切断することができる。
【００３１】
又、上記サインとしての機能により、たとえ用紙が排出口の先端より出過ぎていた場合においても、操作者には、端を持つように指示するサインとして受け取られることが期待できる。
【００３２】
又、上記切り欠き状部を記録紙ガイドの上下に対に設けることによって、用紙の先端を挟んで持つときに容易となり更に切りやすく構成することができる。
【００３３】
更に、用紙の排出口の記録紙幅方向の両側に切り欠き状部を設け、切断刃のの双方あるいは全体に渡って鋸刃状部分を設けることにより、右利き、左利きにかかわらず、どちらから用紙を掴んで引いても同等の切れ味で、ロール紙を切断することができる。
【図面の簡単な説明】
【図１】本発明を適用した記録紙カッタを備えたロール紙プリンタの主要部分を示す概略断面構成図である。
【図２】図１のプリンタにおける主要部分を取出して示す斜視図である。
【図３】図１の記録紙カッタの変形例を示す略図である。
【図４】記録紙ガイドの変形例を示す略図である。
【図５】図１のロール紙プリンタの変形例を示す概略構成図である。
【符号の説明】
１    ロール紙プリンタ
２    ケース
３    ロール紙装填部
４    記録紙ロール体
５    ロール紙
６    サーマルヘッド
７    プラテンロール
１０  記録紙カッタ
１１、１１Ａ  切断刃
１２、１２Ａ  直線状刃先部分
１３、１３Ａ、１３Ｂ  鋸歯状刃先部分
１４、１４Ａ  記録紙ガイド
１６  上ガイド
１７  下ガイド
１６ａ、１７ａ、１６Ａ  先端縁
１８  排出口
１６ｂ、１６Ｂ、１６Ｃ  切り欠き状部
【図１】
0004211179.tif 000002
【図２】
0004211179.tif 000003
【図３】
0004211179.tif 000004
【図４】
0004211179.tif 000005
【図５】
0004211179.tif 000006